【事件の表示】
　特許第２９６３０８８号「録画予約装置」の請求項１に係る特許に対する特許異議の申立てについて、次のとおり決定する。
【結　論】
　訂正を認める。
　特許第２９６３０８８号の請求項１に係る特許を維持する。
【理　由】
１．手続の経緯
　本件特許第２９６３０８８号の請求項に係る発明は、平成１０年６月２３日に特許出願されたものであって、平成１１年８月６日にその特許の設定登録がなされ、その後、松下電器産業株式会社より特許異議の申立がなされ、取消理由通知がなされ、その指定期間内である平成１２年８月２８日に訂正請求（後日取り下げ）がなされ、再度の取消理由通知がなされ、その指定期間内である平成１３年４月２５日に訂正請求がなされたものである。
２．訂正の適否についての判断
（１）訂正の内容
　特許権者が求めている訂正の内容は以下のとおりである。
・訂正ア．特許請求の範囲の請求項１で「録画予約確認画面」とあるのを「転送された録画予約情報を含み、かつ、録画予約実行順に並べられられた複数の録画予約情報を表示する録画予約確認画面」と訂正する。
・訂正イ．特許請求の範囲の請求項２を独立請求項とするため、登録時の請求項１の内容である「録画予約に必要な基本的設定項目がリモコン送信機によって設定され、基本的設定項目以外の付加的設定項目については録画機器本体側の処理に基づいて表示される録画予約確認画面に基づいて設定される録画予約装置であって、リモコン送信機から基本的設定項目に関する録画予約情報が録画機器本体側に転送されたときに、録画予約確認画面が自動的に表示される録画予約装置において」を登録時の請求項２の先頭部分に追加し、最後に記載されている「請求項１に記載の」 を削除する。
・訂正ウ．詳細な説明の「課題を解決するための手段」において、請求項１に対応する段落番号【００１５】の記載全体を「この発明による第１の録画予約装置は、録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする。」と訂正する。
・訂正エ．誤記の訂正を目的として詳細な説明の段落番号【００１７】の先頭部分に記載されている「第２の」を「第３の」と訂正する。
（なお、この訂正において、請求書には段落番号【００１６】とあるが、明らかな誤記であるので、上記のように認定した。）
（２）訂正の適否
ア．訂正の目的の適否、新規事項の追加及び拡張・変更の存否
　訂正アは、請求項１についての訂正であって、願書に添付した明細書の発明の詳細な説明【００１１】の「（４）タイマー録画予約確認画面では録画予約を実行する順番に録画予約がソーティングされているのでタイマー録画予約確認面画面にに表示されている複数の録画予約情報のうちから、付加的設定項目を設定するための録画予約情報を選択する。」との記載に基づくものであり、特許請求の範囲の減縮を目的とするものである。
　訂正イは、請求項２の記載を従属形式から独立形式に変更するものであって、明りょうでない記載の釈明を目的とするものである。
　訂正エは、訂正アに対応したものであって、明りょうでない記載の釈明を目的とするものである。
　訂正ウは、特許請求の範囲請求項３に対応する部分の記載についての訂正であって、誤記の訂正を目的とするものである。
　そして、前記訂正ア〜エは、いずれも、新規事項の追加に該当せず、又、実質上特許請求の範囲を拡張し、又は変更するものではない。
　以上のとおりであるから、前記訂正請求は、特許法第１２０条の４第２項の規定及び同条第３項で準用する第１２６条第２、３項の規定に適合するので、当該訂正を認める。
３．特許異議の申立についての判断
（１）申立の理由の概要
　申立人松下電器産業株式会社は、特許第２９６３０８８号の請求項１に係る発明は、甲第１号証で示す刊行物（松下電器産業株式会社製の録画機器（商品番号ＮＶ−ＢＸ２５）のサービス用説明書「Technical Guide」（No.VR91-08、1991年９月発行））に記載された発明であり、特許法第２９条１項第３号に規定する発明に該当し、その特許は、特許法第１１３条第２号に該当するので、取り消すべきである旨主張している。
（２）請求項１に係る発明
　請求項１に係る発明は、訂正明細書の特許請求の範囲の請求項１に記載された次のとおりのものである。
「録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする録画予約装置。」
（３）甲１号証の刊行物の記載
　上記刊行物には、
・予約録画（つづき）リモコン予約について、リモコンの部分拡大図と共に、１チャンネルを選ぶ、２予約日（曜日）を選ぶ、３開始時刻（時）を選ぶ、・・・、６終了時刻（分）を選ぶ、７転送するまでを手順に従って、押すボタンとリモコンの液晶窓の表示画面を対応させて記載されている。（第１９頁右下欄）
・オンスクリーン機能（つづき）６．その他の表示について、リモコン予約を転送したあとその内容をテレビ画面に表示して、ジャンル設定の待機状態になる旨が記載されている。
　以上の記載からみて、結局、刊行物には、以下のとおりの発明が記載されているものと認める。
「リモコンの押しボタンの操作によって、チャンネル、予約日、開始時刻、終了時刻を設定し、転送の押しボタンの操作によって、予約内容をビデオ本体に転送した後、予約内容をテレビ画面に表示して、ジャンルの設定を行う録画予約装置。」
（４）対比・判断
　本件請求項１に係る発明と刊行物記載の発明を対比する。
　いずれの発明も、リモートコントロール装置（リモコン）を使用しての録画予約装置に関する点で共通するものである。
　刊行物記載の発明において、リモコンの押しボタンの操作で設定されるチャンネル、予約日、開始時刻、及び終了時刻に関する情報が、本件請求項１に係る発明の基本的設定項目に、刊行物記載の発明におけるテレビ画面上で設定するジャンルが付加的設定項目に、それぞれ、相当することは明らかであり、結局、両者は、
「録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を自動的に表示されることを特徴とする録画予約装置。」
である点で一致が認められる。
　しかしながら、本件請求項１に係る発明が、リモコン送信機から基本的設定項目に関する録画予約情報が転送されたとき表示される（テレビ）画面に、転送された録画予約情報と共に録画予約実行順に並べられられた複数の録画予約情報を表示する録画予約確認画面を表示するようにした点は、刊行物の記載のいずれにも見いだせず、しかも、この点について、刊行物の記載事項から容易に創出し得る範囲内のものと言うこともできない。
　結局、本件請求項１に係る発明は、上記刊行物に記載された発明に基づいて当業者が容易に発明をすることができたものとすることはできない。
４．むすび
　以上のとおりであるから、特許異議申立ての理由及び証拠によっては、本件請求項１に係る発明についての特許を取り消すことはできない。
　又、他に本件特許を取り消すべき理由を発見しない。
　よって、結論のとおり決定する。　　
【異議決定日】
平成１３年６月１９日（２００１．６．１９）
【訂正の要旨】
訂正の要旨
（１）特許請求の範囲の減縮を目的として、特許請求の範囲の請求項１で「録画予約確認画面」とあるのを「転送された録画予約情報を含み、かつ、録画予約実行順に並べられられた複数の録画予約情報を表示する録画予約確認画面」と訂正することによって、請求項１を、
「【請求項１】録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする録画予約装置。」
と訂正する。
（２）明りょうでない記載の釈明を目的として、特許請求の範囲の請求項２を独立請求項とするため、登録時の請求項１の内容である「録画予約に必要な基本的設定項目がリモコン送信機によって設定され、基本的設定項目以外の付加的設定項目については録画機器本体側の処理に基づいて表示される録画予約確認画面に基づいて設定される録画予約装置であって、リモコン送信機から基本的設定項目に関する録画予約情報が録画機器本体側に転送されたときに、録画予約確認画面が自動的に表示される録画予約装置において」を登録時の請求項２の先頭部分に追加し、最後に記載されている「請求項１に記載の」を削除することによって、請求項２を、
「【請求項２】録画予約に必要な基本的設定項目がリモコン送信機によって設定され、基本的設定項目以外の付加的設定項目については録画機器本体側の処理に基づいて表示される録画予約確認画面に基づいて設定される録画予約装置であって、リモコン送信機から基本的設定項目に関する録画予約情報が録画機器本体側に転送されたときに、録画予約確認画面が自動的に表示される録画予約装置において、リモコン送信機から基本的設定項目に関する録画予約情報が録画機器本体側に転送されたときに、録画予約確認画面が自動的に表示されるとともに、録画予約確認画面に表示される複数の録画予約情報のうち、上記転送されてきた録画予約情報が他の録画予約情報と識別可能に表示されることを特徴とする録画予約装置。」
と訂正する。
（３）明りょうでない記載の釈明を目的として、詳細な説明の「課題を解決するための手段」において、請求項１に対応する段落番号【００１５】の記載全体を「この発明による第１の録画予約装置は、録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする。」と訂正する。
（４）誤記の訂正を目的として詳細な説明の段落番号【００１７】の先頭部分に記載されている「第２の」を「第３の」と訂正する。
（５４）【発明の名称】
録画予約装置
（５７）【特許請求の範囲】
　【請求項１】　録画予約に必要な基本的設定項目がリモコン送信機によって設定され、基本的設定項目以外の付加的設定項目については録画機器本体側の処理に基づいて表示される録画予約確認画面に基づいて設定される録画予約装置において、
　リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする録画予約装置。
　【請求項２】　録画予約に必要な基本的設定項目がリモコン送信機によって設定され、基本的設定項目以外の付加的設定項目については録画機器本体側の処理に基づいて表示される録画予約確認画面に基づいて設定される録画予約装置であって、
　リモコン送信機から基本的設定項目に関する録画予約情報が録画機器本体側に転送されたときに、録画予約確認画面が自動的に表示される録画予約装置において、
　リモコン送信機から基本的設定項目に関する録画予約情報が録画機器本体側に転送されたときに、録画予約確認画面が自動的に表示されるとともに、録画予約確認画面に表示される複数の録画予約情報のうち、上記転送されてきた録画予約情報が他の録画予約情報と識別可能に表示されることを特徴とする録画予約装置。
　【請求項３】　録画予約に必要な基本的設定項目がリモコン送信機によって設定され、基本的設定項目以外の付加的設定項目については録画機器本体側の処理に基づいて表示される録画予約確認画面に基づいて設定される録画予約装置において、
　録画予約確認画面の表示モードとして自動モードと非自動モードとがあり、これらのモードを設定するための設定手段、および
　自動モードが設定されている場合において、リモコン送信機から基本的設定項目に関する録画予約情報が録画機器本体側に転送されたときには、録画予約確認画面を自動的に表示させる表示制御手段、
　を備えていることを特徴とする録画予約装置。
　【請求項４】　表示制御手段は、自動モードが設定されている場合において、リモコン送信機から基本的設定項目に関する録画予約情報が録画機器本体側に転送されたときには、録画予約確認画面を自動的に表示させるとともに、録画予約確認画面に表示される複数の録画予約情報のうち、上記転送されてきた録画予約情報を他の録画予約情報と識別できるように表示させることを特徴とする請求項３に記載の録画予約装置。
【発明の詳細な説明】
　【０００１】
　【発明の属する技術分野】
　この発明は、ＶＴＲ等の録画予約装置に関する。
　【０００２】
　【従来の技術】
　タイマー録画予約をリモコン送信機上で設定し、それを本体のＶＴＲ等に転送して、タイマー録画予約の設定を行う録画予約装置が知られている。
　【０００３】
　現在、タイマー録画予約に関する基本的な設定項目（以下、基本的設定項目という）としては、次のような項目がある。
　【０００４】
（１）予約録画チャンネル
（２）予約録画開始日
（３）予約録画開始時刻
（４）予約録画終了時刻
（５）テープ速度
　【０００５】
　　また、付加的な設定項目（以下、付加的設定項目という）として、次のような項目がある。
　【０００６】
（１）番組タイプの設定
　設定された番組タイプは、ビデオテープに記録され、録画テープの頭出し情報として使用される。
　【０００７】
（２）野球延長の設定
　野球延長の設定が行われると、録画が開始されると、テープエンドまで録画継続せしめられる。
　【０００８】
（３）ＣＭカットの設定
　ＣＭカットの設定においては、二カ国語放送のみ録画するモード、ステレオ放送のみ録画するモード、モノラル放送のみ録画するモード、ワイドクリアビジョン放送のみ録画するモード等のうちから、いずれかのモードが選択される。
　【０００９】
　これらの設定項目のうち、基本的設定項目はリモコン送信機上で設定されているが、付加的設定項目はＶＴＲ本体側で設定されている。この理由は、録画予約に関する新機能が追加される毎に、リモコン送信機からＶＴＲ本体側に転送する情報を多くするようにすると、新しい機種（本体）には対応できるが、過去の機種（本体）との互換性がなくなるからである。
　【００１０】
　このように、付加的設定項目をリモコン送信機上で設定できないため、次に示すように、付加的設定項目の設定を伴う予約録画設定操作は煩わしいものとなっている。付加的設定項目の設定を伴う、従来の予約録画設定操作手順は次の通りである。
　【００１１】
（１）まず、リモコン送信機上で基本的設定項目を設定する。
（２）リモコン送信機上で設定された基本的設定項目をＶＴＲ本体に転送する。
（３）付加的設定項目を設定させるために、タイマー録画予約確認画面（オンスクリーン画面）をモニタ上に表示させる。
（４）タイマー録画予約確認画面では録画予約を実行する順番に録画予約情報がソーティングされているので、タイマー録画予約確認画面に表示されている複数の録画予約情報のうちから、付加的設定項目を設定するための録画予約情報を選択する。
（５）付加的設定項目を設定する。
　【００１２】
　【発明が解決しようとする課題】
　この発明は、録画予約を設定した際に設定した録画予約が瞬時に確認できるようになる録画予約装置を提供することを目的とする。
　【００１３】
　この発明は、付加的設定項目の設定を伴う予約録画設定操作が、簡単となる録画予約装置を提供することを目的とする。
　【００１４】
　【課題を解決するための手段】
　【００１５】
　この発明による第１の録画予約装置は、録画予約に必要な基本的設定項目がリモコン送信機によって設定され、基本的設定項目以外の付加的設定項目については録画機器本体側の処理に基づいて表示される録画予約確認画面に基づいて設定される録画予約装置において、リモコン送信機から基本的設定項目に関する録画予約情報が録画機器本体側に転送されたときに、転送された録画予約情報を含み、かつ、録画予約実行順に並べられられた複数の録画予約情報を表示する録画予約確認画面が自動的に表示されることを特徴とする。
　【００１６】
　リモコン送信機から基本的設定項目に関する録画予約情報が録画機器本体側に転送されたときに、録画予約確認画面が自動的に表示されるとともに、録画予約確認画面に表示される複数の録画予約情報のうち、上記転送されてきた録画予約情報が他の録画予約情報と識別可能に表示されることが好ましい。
　【００１７】
　この発明による第３の録画予約装置は、録画予約に必要な基本的設定項目がリモコン送信機によって設定され、基本的設定項目以外の付加的設定項目については録画機器本体側の処理に基づいて表示される録画予約確認画面に基づいて設定される録画予約装置において、録画予約確認画面の表示モードとして自動モードと非自動モードとがあり、これらのモードを設定するための設定手段、および自動モードが設定されている場合において、リモコン送信機から基本的設定項目に関する録画予約情報が録画機器本体側に転送されたときには、録画予約確認画面を自動的に表示させる表示制御手段を備えていることを特徴とする。
　【００１８】
　表示制御手段は、自動モードが設定されている場合において、リモコン送信機から基本的設定項目に関する録画予約情報が録画機器本体側に転送されたときには、録画予約確認画面を自動的に表示させるとともに、録画予約確認画面に表示される複数の録画予約情報のうち、上記転送されてきた録画予約情報を他の録画予約情報と識別できるように表示させることが好ましい。
　【００１９】
　【発明の実施の形態】
　以下、図面を参照して、この発明の実施の形態について説明する。
　【００２０】
　図１は、ＶＴＲの構成を示している。
　【００２１】
　このＶＴＲは、ＢＳチューナ１、地上波チューナ２、および各チューナ１、２によって選局された放送信号を処理してビデオ・オーディオ信号を出力端子Ｐに出力するビデオ・オーディオ回路３を備えている。出力端子Ｐは、テレビジョン受像機に接続されている。
　【００２２】
　ＶＴＲは、各チューナ１、２の制御等を行うマイクロコンピュータ１０を備えている。マイクロコンピュータ１０には、リモコン送信機１１からの信号が受信機１２を介して入力される。また、マイクロコンピュータ１０には、ＶＴＲ本体に設けられた操作部１３からの信号が入力される。マイクロコンピュータ１０からは、表示器１４に表示信号が送られる。
　【００２３】
　また、マイクロコンピュータ１０は、メニュー画面、録画予約確認画面等をオンスクリーン表示させるためのＯＳＤ制御信号を生成して、オンスクリーン表示回路１５に出力する。オンスクリーン表示回路１５は、マイクロコンピュータ１０によって指定されたオンスクリーン画面に対応する表示データを生成して出力する。オンスクリーン表示回路１５から出力された表示データは、ビデオ・オーディオ回路３を介してテレビョン受像機に送られ、モニタに表示される。
　【００２４】
　図２は、リモコン送信機の一部の外観を示している。
　【００２５】
　リモコン送信機１１には、テンキー２１、メニューキー２２、送りキー２３、取消キー２４、タイプ設定キー２５、野球延長設定キー２６、ＣＭカットキー２７等が設けられている。
　【００２６】
　録画予約確認画面は、通常は、メニューキー２２を押してメニュー画面をモニタ（テレビジョン受像機のモニタ）に表示させてから、選択項目”予約確認”をテンキー２１によって選択することにより表示される。
　【００２７】
　このＶＴＲでは、録画予約確認画面を表示する表示モードとして、録画予約確認画面を通常通り手動で表示させる手動モードと、リモコン送信機１１から録画予約情報がＶＴＲ本体に転送されたときに録画予約確認画面を自動的に表示させる自動モードとがある。
　【００２８】
　この表示モードの選択は、次のようにして行われる。
　【００２９】
　まず、メニューキー２２を押してメニュー画面をモニタに表示させてから、選択項目”モード設定２”をテンキー２１によって選択する。すると、図３に示すような、モード設定２の画面が表示される。
　【００３０】
　この状態で、テンキー２１の”４”を押す毎に、項目”予約確認選択”の選択項目である”手動”と”自動”とが交互に切り替えられる。ここでは、”自動”、つまり、自動モードが選択されたものとする。
　【００３１】
　図４は、マイクロコンピュータ１０による録画予約情報受信時の処理手順を示している。
　【００３２】
　リモコン送信機１１にに録画予約に必要な基本的設定項目が設定されて、マイクロコンピュータ１０にそれらの情報（録画予約情報）が転送されてくると（ステップ１）、録画予約確認画面の表示モードとして自動モードが設定されているか否かを判別する（ステップ２）。
　【００３３】
　自動モードが選択されている場合には、録画予約確認画面をモニタにオンスクリーン表示させる（ステップ３）。
　【００３４】
　そして、録画予約確認画面に表示されている複数の録画予約情報のうちのいずれが選択されているかを示すカーソルを、ステップ１で受信した録画予約情報の選択位置に表示させる（ステップ４）。
　【００３５】
　このようにして表示された録画予約確認画面の一例を図５に示す。図５では、２７日（金）の２２：００．２２：３０に１０チャンネルで放映される番組が予約された例を示している。
　【００３６】
　この後、必要であれば付加的設定項目が設定される。以下、付加的設定項目の設定方法について説明する。このような、録画予約確認画面において、付加的設定項目を設定する場合には、通常は、送りキー２３によって、付加的設定項目を行うべき録画予約情報を選択する必要があるが、この実施の形態では、リモコン送信機によって設定した録画予約情報が選択されている状態となっているので、そのような選択操作は不要となる。
　【００３７】
　以下、付加的設定項目の設定方法について説明する。
　【００３８】
（１）番組タイプの設定についての説明
　番組タイプを設定する場合には、タイプ設定キー２５を押す。すると、例えば、図６に示すように、カーソルによって選択されている録画予約情報における終了時刻およびテープ速度の表示欄に、”ドラマ”というタイプ名が表示される。
　【００３９】
　そして、タイプ設定キー２５を押す毎に、タイプ名が変更せしめられる。つまり、タイプ設定キー２５を押す毎に、”ドラマ”、”映画”、”アニメ”、”バラエティ”、”ドキュメント”、”スポーツ”、”音楽”、”ＯＦＦ”、”ドラマ”という順番で、タイプ名が切り替えられる。
　【００４０】
　所望のタイプが表示された後に、ユーザがメニューキー２２を押せば番組タイプの設定が終了する。他の付加的設定項目を引き続いて設定したい場合には、メニューキー２２を押さずに、その設定項目に応じたキー（野球延長設定キー２６またはＣＭカットキー２７）を押せばよい。
　【００４１】
（２）野球延長の設定についての説明
　野球延長を設定する場合には、野球延長設定キー２６を押す。すると、例えば、図７に示すように、カーソルによって選択されている録画予約情報における終了時刻の表示欄に、”テープ終了”という文字が表示される。この後、ユーザがメニューキー２２を押せば野球延長の設定が終了する。他の付加的設定項目を引き続いて設定したい場合には、メニューキー２２を押さずに、その設定項目に応じたキー（タイプ設定キー２５またはＣＭカットキー２７）を押せばよい。
　【００４２】
（３）ＣＭカットの設定についての説明